(57)【要約】【課題】  フォトディスクの取り出しに便利で、盗難防止の効果を改善すること。【解決手段】  受け台（10）と固定セット（20）とを含み、前記受け台（10）はフォトディスクの収納ケース内に円柱状に突起した受け台（10）が設けられ、その受け台（10）の中央には円弧片状に現れる受け片（12）が設けられ、かつその受け台（10）にはくぼみ（11）が設けられ、前記固定セット（20）はくぼみ（11）の個所に押しボタン（21）が設けられ、その押しボタン（21）の両側にはそれぞれ翼板（22）が延伸して設けられ、かつその翼板（22）は軸でその受け台（10）の縁に連接されていて、その翼板（22）の押しボタン（21）に接近する一端には円弧片状に現れる嵌止片（23）が設けられると共に、その嵌止片（23）には外向きに突伸して固定爪（231）が設けられ、前記押しボタン（21）と翼板（22）の設置により、押しボタン（21）を押したときに、嵌止片（23）が中心へ内縮して、フォトディスクがスムーズに嵌止片（23）に固定されることを特徴とする。【選択図】  図２
0003114847.tif 000002
【実用新案登録請求の範囲】
【請求項１】
フォトディスクの収納ケースの固定構造であって、
受け台（10）と固定セット（20）とを含み、
前記受け台（10）はフォトディスクの収納ケース内に円柱状に突起した受け台（10）が設けられ、その受け台（10）の中央には円弧片状に現れる受け片（12）が設けられ、かつその受け台（10）にはくぼみ（11）が設けられ、
前記固定セット（20）はくぼみ（11）の個所に押しボタン（21）が設けられ、その押しボタン（21）の両側にはそれぞれ翼板（22）が延伸して設けられ、かつその翼板（22）は軸でその受け台（10）の縁に連接されていて、
その翼板（22）の押しボタン（21）に接近する一端には円弧片状に現れる嵌止片（23）が設けられると共に、その嵌止片（23）には外向きに突伸して固定爪（231）が設けられ、
前記押しボタン（21）と翼板（22）の設置により、押しボタン（21）を押したときに、嵌止片（23）が中心へ内縮して、フォトディスクがスムーズに嵌止片（23）に固定されることを特徴とする、
フォトディスクの収納ケースの固定構造。
【請求項２】
請求項１において、前記押しボタン（21）と翼板（22）の間は弾性のある撓み性部材（221）で以って連接し、かつその翼板（22）の両側と受け台（10）の側縁個所は捩れ片（222）で以って互いに連接されてあることを特徴とする、フォトディスクの収納ケースの固定構造。
【請求項３】
請求項１において、前記翼板（22）の端縁個所には円弧状の嵌縁（223）が突き出して設けられていることを特徴とする、フォトディスクの収納ケースの固定構造。
【考案の詳細な説明】
【技術分野】
【０００１】
本考案はフォトディスクの収納ケースの固定構造に関し、更に詳しくは、フォトディスクを固定収納する機能を提供する外に、更に自動跳ね出しと不当外力によって押し出されることを防止する等機能を有するフォトディスクの収納ケースの固定構造に関するものである。
【背景技術】
【０００２】
従来のフォトディスクの収納ケースはケース内に円柱状の突起した受け台が設けられ、その受け台の直径はちょうどフォトディスクの中心孔を通すことに供され、かつその受け台の側縁個所には複数の弾性くぼみが設けられ、受け台には複数の突起物のある弾性片が形成されてあり、それによって弾性的にフォトディスクの嵌め付け固定に用いられる。
ところが、従来の固定構造は簡単に突起物の弾性嵌め付け方式を利用してフォトディスクを固定しただけで、使用者がフォトディスクを取り出す場合、逆方向にフォトディスクを引き出して弾性片と突起物を内縮させなければならなく、フォトディスクが自動的に跳ね出す機能を達成できない。さらにフォトディスクをスムーズに取り出すため、その突起物の大半は円弧状の突起物で嵌め付け効果はよくなく、力がかかると脱落しやすくなる。また、フォトディスクが販売される場合、その収納ケースは透明のポリエチレンフィルムによって包まれ、盗難防止の包装になっているが、故意に外力を加えてケースを押した場合、フォトディスクは容易に弾性片から脱落して収納ケースの底部に落下し、並びにケースの隙間から取り出すことができ、盗難防止の機能を達成することができない。
【考案の開示】
【考案が解決しようとする課題】
【０００３】
本考案はすなわち伝統的フォトディスクを弾性嵌め付け固定する方式はフォトディスクが自動的に跳ね上がる機能がなく、フォトディスクを取り出すことが不便になり、更に、不肖の輩が外力でケースを押すとフォトディスクは弾性片から脱落しやすくなり、盗難防止の効果が減損することを改善することを目的とする。
【課題を解決するための手段】
【０００４】
本考案の受け台のくぼみには押しボタンが設けられ、その押しボタンの両側にはそれぞれ翼板が延伸して設けられ、かつその翼板は軸でその受け台の縁に連接されてある。その翼板の押しボタンに接近する一端には円弧片状に現れる嵌止片が設けられ、その嵌止片には外向きに突伸して固定爪が設けられ、フォトディスクの中心孔の取り付け固定に供される。
【０００５】
本願の第１考案は、フォトディスクの収納ケースの固定構造であって、受け台（10）と固定セット（20）とを含み、前記受け台（10）はフォトディスクの収納ケース内に円柱状に突起した受け台（10）が設けられ、その受け台（10）の中央には円弧片状に現れる受け片（12）が設けられ、かつその受け台（10）にはくぼみ（11）が設けられ、前記固定セット（20）はくぼみ（11）の個所に押しボタン（21）が設けられ、その押しボタン（21）の両側にはそれぞれ翼板（22）が延伸して設けられ、かつその翼板（22）は軸でその受け台（10）の縁に連接されていて、その翼板（22）の押しボタン（21）に接近する一端には円弧片状に現れる嵌止片（23）が設けられると共に、その嵌止片（23）には外向きに突伸して固定爪（231）が設けられ、前記押しボタン（21）と翼板（22）の設置により、押しボタン（21）を押したときに、嵌止片（23）が中心へ内縮して、フォトディスクがスムーズに嵌止片（23）に固定されることを特徴とする、フォトディスクの収納ケースの固定構造である。
本願の第２考案は、前記第１考案において、前記押しボタン（21）と翼板（22）の間は弾性のある撓み性部材（221）で以って連接し、かつその翼板（22）の両側と受け台（10）の側縁個所は捩れ片（222）で以って互いに連接されてあることを特徴とする、フォトディスクの収納ケースの固定構造である。
本願の第３考案は、前記第１考案において、前記翼板（22）の端縁個所には円弧状の嵌縁（223）が突き出して設けられていることを特徴とする、フォトディスクの収納ケースの固定構造である。
【０００６】
[作用]
本考案の押しボタンは撓み性部材の設置により、嵌止片と固定爪は押しボタンの方向へ内縮し、フォトディスクはスムーズに通り固定または脱出することができる。かつその逆フック状の固定爪はフォトディスクを引っ掛けることができ、一般従来の技術よりも更によい固定効果がある。かつ押しボタンが押さえられた同時に、翼板の外縁端は同調してフォトディスクの方向へ押し出され、フォトディスクが自動的に跳ね離れる機能が達成される。また、本考案が外力によってケースの外側から押さえられた場合、押しボタンと翼板の間には逆方向の彎曲が発生して嵌止片を外側へ折り曲げ、固定爪は更にそのフォトディスクを掴め、フォトディスクが不当な外力によって脱落することがないよう確保し、良好な盗難防止の機能を得ることができる。
【考案の効果】
【０００７】
本考案は固定セット20を利用することにより、固定爪231はフォトディスクをつかみ固定することができ、一般の従来技術よりも更によい固定効果が得られる。かつ押しボタン21が押さえられると、翼板22の外縁端は同時にフォトディスク30の方向へ押し出され、フォトディスク30の自動跳ね出し機能が達成される。
外力を受けてケースの外側から押さえられた場合、押しボタン21と翼板22の間に逆方向の彎曲が発生し、嵌止片23は外側へ反転して固定爪231は更にフォトディスク30をつかみ、フォトディスク30が不当な外力によって脱落しないことが確保され、よりよい盗難防止機能が得られる。
【考案を実施するための最良の形態】
【０００８】
図１から３図に示す如く、本考案はフォトディスクの収納ケースの固定構の一種で、受け台10と固定セット20を含む。
【０００９】
受け台10はその収納ケース内に円柱状に突起した受け台10が設けられ、かつその受け台10の上側には縦方向にくぼみ11が設けられてある。その受け台10の中央にはフォトディスク30の中心孔31に対応して円弧片状に現れる受け片12が設けられてある。
【００１０】
固定セット20はくぼみ11の中心個所に押しボタン21が設けられ、その押しボタン21は概して中空の円柱状に形成され、それの底端両側にはくぼみ11の方向に沿ってそれぞれ翼板22が設けられ、かつその押しボタン21と翼板22の間には弾性のある撓み性部材221が設けられ、それによって押しボタン21と翼板22の間に弾性彎曲が発生する。
【００１１】
翼板22の両側の受け台10に近い側縁個所には捩れ片222が延伸して設けられ、その捩れ片222の他端は受け台10の側縁個所に連接され、翼板22の端縁個所には円弧状に突起した嵌縁223が設けられてある。
【００１２】
また、その翼板22の押しボタン21に接近する一端には嵌止片23が設けられ、その嵌止片23はフォトディスクの中心孔に対応して円弧片状に現れ、かつそれと受け片12は環状の排列に形成されてフォトディスク30の中心孔31への挿入固定に供され、その嵌止片23の上端は外向きに突伸して逆フック状の固定爪231が設けられてある。
【００１３】
図４に示す如く、フォトディスク30を収納ケース内に固定する場合、そのフォトディスク30の中心孔31を受け片12と嵌止片23に合わして押し込むが、その固定爪231の頂上面は斜面であるので、フォトディスク30が押し込まれると、嵌止片23も同時にその勢いで力を受けて押し込まれ、並びに翼板22は捩れ片222を軸心として回転され、撓み性部材221に弾性彎曲が発生し、フォトディスク30の中心孔31はスムーズに嵌止片23の固定爪231に通される。
【００１４】
その嵌止片23の逆フック状固定爪231は完全に内縮することができ、かつフォトディスク30が受け台10に固定されると、第五図に示す如く、嵌止片23は弾性的にもとの位置に回復し、固定爪231がフォトディスク30を受け台10に固定することが便利になり、一般従来の円弧状突起の弾性片より更によい固定効果が得られる。
【００１５】
また、そのフォトディスク30中心のデータのない部分32の厚さとデータのある部分の間は階段状に内縮するよう形成される。
図６に示す如く、その翼板22の端縁個所の嵌縁223をその階段状の縁に当て付ければ固定効果を更に強化することができ、フォトディスク30の揺れ動きを防止することができる。
【００１６】
図７に示す如く、フォトディスク30を取り出す場合、その押しボタン21を押すだけで、その押しボタン21は撓み性部材221の設置により、押しボタン21と翼板22の間に弾性彎曲が発生し、嵌止片23と固定爪231は押しボタン21の方向へ内縮し、同時に翼板22を駆動して捩れ片222を軸心として回転させ、その翼板22の外縁端はフォトディスク30の方向へ押し出され、フォトディスク30の自動跳ね出し機能が達成される。
かつその捩れ片222は捩れ弾力を提供し、それによってフォトディスク30が跳ね離れた後、その押しボタン21と翼板22を元の位置に回復させる。
【００１７】
図８に示す如く、本考案が外力を受けてケースの外側から押さえられた場合、押しボタン21は力がかかって逆方向に移動し、押しボタン21と翼板22の間に逆方向の彎曲が発生し、嵌止片23は外側へ反転して固定爪231は更にフォトディスクをつかみ、フォトディスクが不当な外力によって脱落しないことが確保され、よい盗難防止機能が得られる。
【図面の簡単な説明】
【００１８】
【図１】本考案の立体外観図である。
【図２】本考案の部分立体外観図である。
【図３】本考案の受け台の断面説明図である
【図４】本考案のフォトディスク据え置き動作の説明図（一）である。
【図５】本考案のフォトディスク据え置き動作の説明図（二）である。
【図６】本考案のフォトディスクの据え置きの説明図（二）である。
【図７】本考案のフォトディスクの跳ねだし動作の説明図である。
【図８】本考案の逆方向に力を受けた動作の説明図である。
【符号の説明】
【００１９】
10・・・・・・受け台
11・・・・・・くぼみ
12・・・・・・受け片
20・・・・・・固定セット
21・・・・・・押しボタン
22・・・・・・翼板
221・・・・・撓み性部材
222・・・・・捩れ片
223・・・・・嵌縁
23・・・・・・嵌止片
231・・・・・固定爪
30・・・・・・フォトディスク
31・・・・・・中心孔
32・・・・・・データのない部分
【図１】
0003114847.tif 000003
【図２】
0003114847.tif 000004
【図３】
0003114847.tif 000005
【図４】
0003114847.tif 000006
【図５】
0003114847.tif 000007
【図６】
0003114847.tif 000008
【図７】
0003114847.tif 000009
【図８】
0003114847.tif 000010